(57)【要約】【課題】接点入出力部と入出力ポート部との両方が接続対象である設備機器を制御できる設備機器制御ユニット装置、及び本ユニット装置に接続されるシーケンサ装置を提供する。【解決手段】設備機器制御ユニット１は設備機器２に後付けで接続され、接点入出力部１１は設備機器２のセンサー２１と接続して接点信号のやり取りを行い、出力ポート部１２は設備機器２のマイクロプロセッサ２２と接続して通信を行い、判断部１３は、設備機器２のセンサ２１、マイクロプロセッサ２２とのデータのやり取りについて、外部通信部１４が受信したデータが、接点入出力部１１に対するデータか、入出力ポート部１２に対するデータか、あるいは設備機器制御ユニット装置１の設定変更に関するデータかを選択、判断し、その判断結果に基づいて、接点入出力部１１あるいは入出力ポート部１２の制御を実行する。【選択図】        図１
2004153731.tif 000002
【特許請求の範囲】
【請求項１】
センサー及びマイクロプロセッサを有する被制御対象たる設備機器に接続され、外部通信基地との通信にしたがって設備機器の監視及び制御を行う設備機器制御ユニット装置において、
外部通信基地との通信を行う外部通信部と、
設備機器が有するセンサーの駆動状況を取り込み、前記センサーへセンサー制御信号を流す接点入出力部と、
設備機器が有するマイクロプロセッサの動作状況を取り込み、前記マイクロプロセッサへマイクロプロセッサ制御信号を流す入出力ポート部と、
接点入出力部と入出力ポート部とのうちいずれを制御するかを前記外部通信部が行う外部通信基地との通信に従って選択、判断し、該判断結果に基づいて接点入出力部あるいは入出力ポート部を制御する判断部とを備えることを特徴とする設備機器制御ユニット装置。
【請求項２】
外部通信基地は移動体通信の無線基地局であり、外部通信部は前記無線基地局との通信に対応した無線通信手段で構成されることを特徴とする請求項１記載の設備機器制御ユニット装置。
【請求項３】
判断部は、外部通信部で受信した外部通信基地からのコマンドによって、本装置の動作モードを外部通信部で受信した外部通信基地からの指示に従う遠隔操作対応モードに設定することを特徴とする請求項１または２記載の設備機器制御ユニット装置。
【請求項４】
遠隔操作対応モードは、外部通信部で受信した外部通信基地からのコマンドに従って、本装置の動作状態を点検できる状態に設定するメンテナンスモードを含むことを特徴とする請求項３記載の設備機器制御ユニット装置。
【請求項５】
遠隔操作対応モードは、外部通信部で受信した外部通信基地からのコマンドに従って、接点入出力部の動作を規定し、且つ接点入出力部の接点のオン・オフ状態を読み取る接点モードを含むことを特徴とする請求項３または４記載の設備機器制御ユニット装置。
【請求項６】
遠隔操作対応モードは、外部通信部で受信した外部通信基地からのコマンドに従って、本装置内の時刻を設定する時刻モードを含むことを特徴とする請求項３乃至５いずれか記載の設備機器制御ユニット装置。
【請求項７】
センサー及びマイクロプロセッサを有する被制御対象たる設備機器と、請求項１乃至６いずれか記載の設備機器制御ユニット装置との間に接続されて、設備機器の制御を行うシーケンサ装置において、
設備機器制御ユニット装置の入出力ポート部と通信を行う通信ポートと、
設備機器制御ユニット装置の接点入出力部と接点信号の授受を行う接点入出力部とを備え、
本装置の接点入出力部と設備機器制御ユニット装置の接点入出力部との間の接点信号の有無によって、設備機器制御ユニット装置と外部通信基地との間の電話回線を用いた通信を確立することを特徴とするシーケンサ装置。
【発明の詳細な説明】
【０００１】
【発明の属する技術分野】
本発明は、設備機器制御ユニット装置、及び本ユニット装置に接続されるシーケンサ装置に関するものである。
【０００２】
【従来の技術】
設備機器制御ユニット装置は、ボイラー、給水ポンプ、自動販売機、立体駐車場の管理機器等の設備機器の監視及び制御を行うものであり、設備機器が有するセンサーやマイクロプロセッサとの間で信号の授受を行う。しかし、従来の設備機器制御ユニット装置は、接点入出力部と入出力ポート部とのうちいずれか一方しか備えていなかったり、センサーとの接続しか考慮していないものがあった。（例えば、特許文献１参照。）。
【０００３】
【特許文献１】
特開平１１−１２０４２６号公報（２頁右欄第４５行〜３頁左欄第２行、図２）
【０００４】
【発明が解決しようとする課題】
上記従来の設備機器制御ユニット装置では、接点入出力部と入出力ポート部とのうちいずれか一方しか備えていないため、特に接点入出力部と入出力ポート部との両方を備える設備機器に対して行うことができる制御の種類が限られていた。
【０００５】
また、接点入出力部と入出力ポート部とのうちいずれか一方しか備えていないので、設備機器を制御するシーケンサ装置を設備機器制御ユニット装置に接続した場合、シーケンサ装置から設備機器制御ユニット装置に発呼動作を行わせる設定作業に手間がかかっていた。
【０００６】
本発明は、上記事由に鑑みてなされたものであり、その目的は、接点入出力部と入出力ポート部との両方が接続対象である設備機器を制御できる設備機器制御ユニット装置、及び本ユニット装置に接続されるシーケンサ装置を提供することにある。
【０００７】
【課題を解決するための手段】
請求項１の発明は、センサー及びマイクロプロセッサを有する被制御対象たる設備機器に接続され、外部通信基地との通信にしたがって設備機器の監視及び制御を行う設備機器制御ユニット装置において、外部通信基地との通信を行う外部通信部と、設備機器が有するセンサーの駆動状況を取り込み、前記センサーへセンサー制御信号を流す接点入出力部と、設備機器が有するマイクロプロセッサの動作状況を取り込み、前記マイクロプロセッサへマイクロプロセッサ制御信号を流す入出力ポート部と、接点入出力部と入出力ポート部とのうちいずれを制御するかを前記外部通信部が行う外部通信基地との通信に従って選択、判断し、該判断結果に基づいて接点入出力部あるいは入出力ポート部を制御する判断部とを備えることを特徴とする。
【０００８】
請求項２の発明は、請求項１において、外部通信基地は移動体通信の無線基地局であり、外部通信部は前記無線基地局との通信に対応した無線通信手段で構成されることを特徴とする。
【０００９】
請求項３の発明は、請求項１または２において、判断部は、外部通信部で受信した外部通信基地からのコマンドによって、本装置の動作モードを外部通信部で受信した外部通信基地からの指示に従う遠隔操作対応モードに設定することを特徴とする。
【００１０】
請求項４の発明は、請求項３において、遠隔操作対応モードは、外部通信部で受信した外部通信基地からのコマンドに従って、本装置の動作状態を点検できる状態に設定するメンテナンスモードを含むことを特徴とする。
【００１１】
請求項５の発明は、請求項３または４において、遠隔操作対応モードは、外部通信部で受信した外部通信基地からのコマンドに従って、接点入出力部の動作を規定し、且つ接点入出力部の接点のオン・オフ状態を読み取る接点モードを含むことを特徴とする。
【００１２】
請求項６の発明は、請求項３乃至５いずれかにおいて、遠隔操作対応モードは、外部通信部で受信した外部通信基地からのコマンドに従って、本装置内の時刻を設定する時刻モードを含むことを特徴とする。
【００１３】
請求項７の発明は、センサー及びマイクロプロセッサを有する被制御対象たる設備機器と、請求項１乃至６いずれか記載の設備機器制御ユニット装置との間に接続されて、設備機器の制御を行うシーケンサ装置において、設備機器制御ユニット装置の入出力ポート部と通信を行う通信ポートと、設備機器制御ユニット装置の接点入出力部と接点信号の授受を行う接点入出力部とを備え、本装置の接点入出力部と設備機器制御ユニット装置の接点入出力部との間の接点信号の有無によって、設備機器制御ユニット装置と外部通信基地との間の電話回線を用いた通信を確立することを特徴とする。
【００１４】
【発明の実施の形態】
以下、本発明の実施の形態を図面に基づいて説明する。
【００１５】
（実施形態１）
本実施形態の設備機器制御ユニット装置１は図１に示すように、接点入出力部１１と、入出力ポート部１２と、判断部１３と外部通信部１４とから構成され、センサー２１とマイクロプロセッサ２２とを有する設備機器２（ボイラー、給水ポンプ、自動販売機、立体駐車場の管理機器等）に後付けで接続されている。
【００１６】
接点入出力部１１は設備機器２のセンサー２１と接続して接点信号のやり取りを行うもので、センサー２１の駆動状況を取り込み、センサー２１へセンサー制御信号を流している。
【００１７】
入出力ポート部１２は設備機器２のマイクロプロセッサ２２と接続して通信を行うもので、マイクロプロセッサ２２の動作状況を取り込み、マイクロプロセッサ２２へマイクロプロセッサ制御信号を流している。
【００１８】
判断部１３は、設備機器２のセンサ２１、マイクロプロセッサ２２とのデータのやり取りを、予め組み込まれたプログラムに従って、接点入出力部１１と入出力ポート部１２とのうちいずれを介して行うかを判断し、その判断結果に基づく制御を実行する。
【００１９】
ここで外部通信部１４は、遠隔にある外部通信基地とデータの送受信を行うもので、判断部１３は外部通信部１４を介して外部通信基地ともデータのやり取りを行う。そして判断部１３は、外部通信部１４が受信したデータが、接点入出力部１１に対するデータか、入出力ポート部１２に対するデータか、あるいは設備機器制御ユニット装置１の設定変更に関するデータかを選択、判断し、その判断結果によっては、接点入出力部１１あるいは入出力ポート部１２の制御を実行する。
【００２０】
このように遠隔の外部通信基地からも、設備機器制御ユニット装置１の接点入出力部１１、入出力ポート部１２を介して、設備機器２のセンサー２１、マイクロプロセッサ２２とのデータのやり取りを行って、設備機器２の監視及び制御を行うことができる。
【００２１】
（実施形態２）
本実施形態の設備機器制御ユニット装置１は、図１の構成においてＰＨＳ方式を用いた外部通信部１４を備えており、実施形態１と同様の構成には同一の符号を付して説明は省略する。
【００２２】
図２はシステム構成を示すもので、実施形態１と同様に接続した設備機器制御ユニット装置１及び設備機器（自動販売機）２と、ＰＨＳ公衆網３を経由して設備機器制御ユニット装置１の外部通信部１４と通信可能なＰＨＳ公衆基地局４と、ターミナルアダプタ（ＴＡ）６を備えてＩＳＤＮ回線で公衆電話網５を経由してＰＨＳ公衆基地局４と通信可能な外部通信基地を成すセンター装置７と、モデム８を備えてアナログ電話回線で公衆電話網５を経由してＰＨＳ公衆基地局４と通信可能な外部通信基地を成すセンター装置７とから構成され、センター装置７にはパーソナルコンピュータが用いられている。
【００２３】
そして、設備機器制御ユニット装置１とセンター装置７とは、ＰＨＳ公衆網３、ＰＨＳ公衆基地局４、及び公衆電話網５を経由して互いに通信が可能となるので、遠隔のセンター装置７からも、実施形態１と同様に接点入出力部１１あるいは入出力ポート部１２の制御を実行でき、設備機器制御ユニット装置１の接点入出力部１１、入出力ポート部１２を介して、設備機器２のセンサー２１、マイクロプロセッサ２２とのデータのやり取りを行うことができる。
【００２４】
しかも、設備機器制御ユニット装置１とセンター装置７との間の通信にＰＨＳ方式を採用することによって、設備機器２には電話回線等の敷設の必要がなく、設備機器制御ユニット装置１を後付けした場合に安価な初期費用で設備の遠隔監視システムの構築が可能となる。
【００２５】
さらに、ＰＨＳ方式の場合は、ＰＩＡＦＳ（ＰＨＳ  Ｉｎｔｅｒｎｅｔ  Ａｃｃｓｅｓｓ  Ｆｏｒｕｍ  Ｓｔａｎｄａｒｄ）や、無線モデムにも対応しているため、センター装置７側がＩＳＤＮ回線でもアナログ電話回線でも対応可能となり、既設の回線をそのまま活用することが可能である。
【００２６】
なお本実施形態では、設備機器制御ユニット装置１とセンター装置７との間の通信にＰＨＳ方式を用いる場合について説明したが、携帯電話を用いたデータ通信方式、パケット通信方式を用いることも可能である。
【００２７】
（実施形態３）
図３は、実施形態２の設備機器制御ユニット装置１の判断部１３の状態遷移を表した遷移図であり、以下この遷移図に基づいて設備機器制御ユニット装置１の動作を説明する。
【００２８】
設備機器制御ユニット装置１は、通常の無通信状態のときは待ち受け状態を保持している。そして、遠隔のセンター装置７から設備機器制御ユニット装置１の外部通信部１４に着呼が発生した場合は、データ通信モードに移行し、外部通信部１４で受信したセンター装置７からのデータの先頭のデータ列を判断部１３で判断する。
【００２９】
まず先頭のデータ列がエスケープコード（Ｅｓｃ  Ｃｏｄｅ）”％％％”の場合、判断部１３はデータ通信モードから接点動作モードに移行して、受信データのその後のデータ列を接点入出力部１１の接点動作のコマンドと判断し、そのコマンドに従って接点入出力部１１の動作を規定し、接点入出力部１１の接点のオン・オフ状態を読み取るシーケンスを実施する。そして、データが３０秒間送信されてこないときはシーケンスが終了したと判断して、外部通信部１４のＰＨＳ回線を切断し、待ち受け状態に戻る。
【００３０】
次に先頭のデータ列がエスケープコード”／／／”の場合、判断部１３はデータ通信モードから遠隔コマンドモードに移行して、受信データのその後のデータ列を設備機器制御ユニット装置１の設定変更を行うための遠隔制御コマンドと判断し、その遠隔制御コマンドの解釈と、その解釈に基づいた設備機器制御ユニット装置１の設定変更とを行う。そして、終了コマンド”ＡＴＯ”を受信したときはデータ通信モードに戻る。従来は現場で入出力ポート部１２を介して設定を変更する必要があったが、この遠隔制御コマンドを用意することによって、遠隔のセンター装置７から設定を変更することができる。
【００３１】
さらに、先頭のデータ列がエスケープコード”＋＋＋”の場合、判断部１３はデータ通信モードからオンラインコマンドモードに移行し、終了コマンド”ＡＴＯ”を受信したときはデータ通信モードに戻る。
【００３２】
そして、先頭のデータ列が”％％％”、”／／／”、”＋＋＋”以外の場合、判断部１３はデータ通信モードの状態を保持し、受信したデータは入出力ポート部１２（シリアルインターフェース）を介して設備機器２のマイクロプロセッサ２２に伝達される。このデータを受信したマイクロプロセッサ２２は、データに応じた処理を行って設備機器２を制御する。
【００３３】
また、データ通信モード時に外部通信部１４のＰＨＳ回線を切断されたときは、待ち受け状態に戻る。
【００３４】
このように、外部通信部１４で受信したデータの先頭のデータ列によって、データ通信モード、または接点動作モード、または遠隔コマンドモード、またはオンラインモードに切り替えることができ、設備機器制御ユニット装置１を設備機器２に取り付けた状態のままで、遠隔のセンター装置７から設備機器２のマイクロプロセッサ２２とのデータのやり取りや、センサー２１のセンサー信号の入出力や、設備機器制御ユニット装置１の内部設定の変更を共通の外部通信部１４を介して行うことができる。
【００３５】
なおエスケープコードは、その前後に設けたデータを伝送することを禁止する期間（ガードタイム）が設定時間以内の場合はデータとみなされる。
【００３６】
（実施形態４）
図４は本実施形態の設備機器制御ユニット装置１の判断部１３の状態遷移を表した遷移図であり、図３に示す状態遷移にメンテナンスモード（あるいはＵＬＩ（ユニットログイン）モード）を付加したものである。このメンテナンスモードはユーザには非公開であり、待ち受け状態、オンラインコマンドモード、遠隔コマンドモードのときに、センター装置７から外部通信部１４を介して判断部１３に”特殊コマンド”を伝達する、あるいは図示しない携帯型のメンテナンス機器から入出力ポート部１２（シリアルインターフェース）を介して判断部１３に”特殊コマンド”を伝達することで移行するもので、現場、遠隔のセンター装置７に関わらず、また設備機器制御ユニット装置１の状態を問わず、設備機器制御ユニット装置１の詳細な状態モニターが可能となり、トラブル時の詳細な状態解析が可能となる。また、このメンテナンスモードは、”ＵＬＯ”コマンドによって終了する。
【００３７】
（実施形態５）
図５は、実施形態３で説明した接点動作モード時に接点動作の設定を変更する場合の設備機器制御ユニット装置１とセンター装置７との間の通信シーケンスを表している。まず、遠隔のセンター装置７が公衆電話網５、ＰＨＳ公衆基地局４、及びＰＨＳ公衆網３を介して発呼し、設備機器制御ユニット装置１の外部通信部１４に着呼が発生して、外部通信部１４とセンター装置７との間の回線がＰＩＡＦＳや無線モデムによって接続される。そして、センター装置７からエスケープコード”％％％”を送信されると、設備機器制御ユニット装置１の判断部１３は、外部通信部１４を介して了解応答”ＡＣＫ”を返送して、データ通信モードから接点動作モードに移行する。
【００３８】
了解応答”ＡＣＫ”を受信したセンター装置７は、接点動作の設定を変更する”データ”を送信し、判断部１３は受信した”データ”内容が正しいことを確認した後、了解応答”ＡＣＫ”を返送して、接点動作の設定を変更する。この”データ”送信から了解応答”ＡＣＫ”受信までの時間は最大３秒である。そして、了解応答”ＡＣＫ”を受信したセンター装置７は、、データの終わりを表す”Ｄ・ＥＯＴ”を送信し、ＰＨＳ回線を切断して、接点データの登録を完了する。
【００３９】
図６は、センター装置７から送信される”データ”のフォーマットと各設定データの内容であり、ＩＤ番号（８）、通報先１（１０）、通報先２（１０）、リトライ回数（１）、時刻情報（６）、時刻要求（１）、通報時間帯（４）、トリガ設定（８）、サンプル回数（２）、トリガ出力（８）、トリガ検出（８）、入力Ａｃｔｉｖｅ（８）、出力Ａｃｔｉｖｅ（１）、予備（３９）から構成され、上記（  ）内の数字はそのデータのバイト数を表す。
【００４０】
また、上記接点動作を設定するデータ登録シーケンス以外に、設備機器制御ユニット装置１から起動される、テストシーケンス、異常通報シーケンス、及びセンター装置７から起動される接点データ確認シーケンス、通報ロック解除シーケンス、ソフトリセットシーケンス等の複数のシーケンスにより設備機器２の異常通報や細かい設定が可能となる。
【００４１】
（実施形態６）
図６は、設備機器制御ユニット装置１が時刻基準の時刻データを要求する場合の通信シーケンスを表したもので、設備機器制御ユニット装置１のパラメータのうち時刻要求フラグに１が設定されている場合は、電源を投入してから一端リセットした後に時刻要求が起動して、設備機器制御ユニット装置１の外部通信部１４がＰＨＳ公衆網３、ＰＨＳ公衆基地局４、及び公衆電話網５を介して発呼し、遠隔のセンター装置７に着呼が発生して、外部通信部１４とセンター装置７との間の回線がＰＩＡＦＳや無線モデムによって接続される。そして、設備機器制御ユニット装置１からエスケープコード”％％％”を送信されると、センター装置７は了解応答”ＡＣＫ”を返送する。
【００４２】
了解応答”ＡＣＫ”を受信した設備機器制御ユニット装置１は、時刻データを要求する時刻データ要求”ＥＮＱ”を送信し、センター装置７は時刻情報である”データ”を返送する。時刻情報の”データ”を受信した設備機器制御ユニット装置１は、データに基づいて時刻設定を変更した後、データの終わりを表す”Ｄ・ＥＯＴ”を送信し、ＰＨＳ回線を切断して、時刻基準データの更新を完了する。この時刻データ要求”ＥＮＱ”から時刻情報の”データ”送信までの時間は最大３秒である。
【００４３】
図７は、センター装置７から送信される”データ”のフォーマットと各設定データの内容であり、時刻情報（６）、予備（４４）、システムバージョン（１）から構成され、上記（  ）内の数字はそのデータのバイト数を表す。
【００４４】
上記通信シーケンスを設けることによって、設備機器制御ユニット装置１側に時計用のバックアップ電池を設置しなくても、初期設置の電源投入後や停電からの復旧時に、正確な時間情報を保持することができる。このように正確な時間情報を保持することによって、機器異常の発生時刻や、設備の監視時間の管理を常に正確な時間で実施することができる。
【００４５】
なお上記実施形態２乃至６においては、外部通信基地としてセンター装置７を用いている。
【００４６】
（実施形態７）
設備機器制御ユニット装置１のパラメータのうちシーケンサモード移行フラグに１が設定されている場合は、電源投入後、判断部１３はシーケンサモードに移行して動作を行う。シーケンサモードとは、図９に示すシーケンサ９との接続を考慮したモードであり、シーケンサ９は、図示しない設備機器２を制御するものである。ここで設備機器制御ユニット装置１は図１の構成を備える。
【００４７】
設備機器制御ユニット装置１の接点入出力部１１とシーケンサ９の接点入出力部９１とは接点入力Ｘ、接点出力Ｙとを各々有しており、設備機器制御ユニット装置１の接点入力Ｘ０とシーケンサ９の接点出力Ｙｎとを接続し、設備機器制御ユニット装置１の接点出力Ｙ０とシーケンサ９の接点入力Ｘｎとを接続している。また、設備機器制御ユニット装置１の入出力ポート部１２、シーケンサ９の通信ポート９２は共にＲＳ２３２Ｃで構成されており、入出力ポート部１２は通信ポート９２と接続されて、入出力ポート部１２−通信ポート９２間ではシリアル通信が行われる。
【００４８】
シーケンサモードにおいて、設備機器制御ユニット装置１は、接点入力Ｘ０の入力がアクティブになることで、外部通信部１４を介して外部通信基地に発呼動作を行う。外部通信基地からの着呼動作は自動着信として動作する。また外部通信基地との通信状態時には、設備機器制御ユニット装置１の接点出力Ｙ０はアクティブな状態が保持される。
【００４９】
シーケンサモード時に上記運用を行うことで、通常のＡＴコマンドを用いた発呼動作のプログラミング作業に手間がかかるシーケンサ９においても、簡単な接点処理で発呼が可能となる。また、着信や通信状態を接点入力の状態でモニタできるため、シーケンサ９側での制御が簡単になる。このため、従来シーケンサ９で構築した監視システムを、ＰＨＳ方式を用いて設備機器制御ユニット装置１と通信を行う遠隔の外部通信基地の監視システムによって容易に構築可能となる。
【００５０】
【発明の効果】
請求項１の発明は、センサー及びマイクロプロセッサを有する被制御対象たる設備機器に接続され、外部通信基地との通信にしたがって設備機器の監視及び制御を行う設備機器制御ユニット装置において、外部通信基地との通信を行う外部通信部と、設備機器が有するセンサーの駆動状況を取り込み、前記センサーへセンサー制御信号を流す接点入出力部と、設備機器が有するマイクロプロセッサの動作状況を取り込み、前記マイクロプロセッサへマイクロプロセッサ制御信号を流す入出力ポート部と、接点入出力部と入出力ポート部とのうちいずれを制御するかを前記外部通信部が行う外部通信基地との通信に従って選択、判断し、該判断結果に基づいて接点入出力部あるいは入出力ポート部を制御する判断部とを備えるので、接点入出力部と入出力ポート部との両方が接続対象である設備機器を制御できるという効果がある。さらに、遠隔の外部通信基地からも、本装置の接点入出力部、入出力ポート部を介して、設備機器のセンサー、マイクロプロセッサとのデータのやり取りを行って、設備機器の監視及び制御を行うことができる。
【００５１】
請求項２の発明は、請求項１において、外部通信基地は移動体通信の無線基地局であり、外部通信部は前記無線基地局との通信に対応した無線通信手段で構成されるので、設備機器側での電話回線等の敷設の必要が無く、安価な費用で設備の遠隔監視装置の構築が可能となるという効果がある。
【００５２】
請求項３の発明は、請求項１または２において、判断部は、外部通信部で受信した外部通信基地からのコマンドによって、本装置の動作モードを外部通信部で受信した外部通信基地からの指示に従う遠隔操作対応モードに設定するので、本装置を設備機器に取り付けた状態のままで、遠隔のセンター装置から設備機器のマイクロプロセッサとのデータのやり取りや、センサーのセンサー信号の入出力や、本装置の内部設定の変更を共通の外部通信部を介して行うことができるという効果がある。
【００５３】
請求項４の発明は、請求項３において、遠隔操作対応モードは、外部通信部で受信した外部通信基地からのコマンドに従って、本装置の動作状態を点検できる状態に設定するメンテナンスモードを含むので、現場、遠隔の外部通信基地に関わらず、また本装置の状態を問わず、本装置の詳細な状態モニターが可能となり、トラブル時の詳細な状態解析が可能となるという効果がある。
【００５４】
請求項５の発明は、請求項３または４において、遠隔操作対応モードは、外部通信部で受信した外部通信基地からのコマンドに従って、接点入出力部の動作を規定し、且つ接点入出力部の接点のオン・オフ状態を読み取る接点モードを含むので、遠隔の外部通信基地から、設備機器の接点入出力部のモニタ、制御を行うことができるという効果がある。
【００５５】
請求項６の発明は、請求項３乃至５いずれかにおいて、遠隔操作対応モードは、外部通信部で受信した外部通信基地からのコマンドに従って、本装置内の時刻を設定する時刻モードを含むので、本装置に時計用のバックアップ電池を設置しなくても、初期設置の電源投入後や停電からの復旧時に、正確な時間情報を保持することができ、このように正確な時間情報を保持することによって、機器異常の発生時刻や、設備の監視時間の管理を常に正確な時間で実施することができるという効果がある。
【００５６】
請求項７の発明は、センサー及びマイクロプロセッサを有する被制御対象たる設備機器と、請求項１乃至６いずれか記載の設備機器制御ユニット装置との間に接続されて、設備機器の制御を行うシーケンサ装置において、設備機器制御ユニット装置の入出力ポート部と通信を行う通信ポートと、設備機器制御ユニット装置の接点入出力部と接点信号の授受を行う接点入出力部とを備え、本装置の接点入出力部と設備機器制御ユニット装置の接点入出力部との間の接点信号の有無によって、設備機器制御ユニット装置と外部通信基地との間の電話回線を用いた通信を確立するので、従来、シーケンサで構築した監視システムを、設備機器制御ユニット装置と通信を行う遠隔の外部通信基地の監視システムによって容易に構築可能となるという効果がある。
【図面の簡単な説明】
【図１】本発明の実施形態１の設備機器制御ユニット装置と設備機器との構成を示す図である。
【図２】本発明の実施形態２のシステム構成を示す図である。
【図３】本発明の実施形態３の設備機器制御ユニット装置の判断部の状態遷移を示す図である。
【図４】本発明の実施形態４の設備機器制御ユニット装置の判断部の状態遷移を示す図である。
【図５】本発明の実施形態５の設備機器制御ユニット装置とセンター装置との間の通信シーケンスを示す図である。
【図６】同上のデータのフォーマットと各設定データの内容を示す図である。
【図７】本発明の実施形態６の設備機器制御ユニット装置とセンター装置との間の通信シーケンスを示す図である。
【図８】同上のデータのフォーマットと各設定データの内容を示す図である。
【図９】
本発明の実施形態７のシーケンサ装置と設備機器制御ユニット装置とのコネクションを示す図である。
【符号の説明】
１  設備機器制御ユニット装置
２  設備機器
１１  接点入出力部
１２  入出力ポート部
１３  判断部
１４  外部通信部
２１  センサー
２２  マイクロプロセッサ
【図１】
2004153731.tif 000003
【図２】
2004153731.tif 000004
【図３】
2004153731.tif 000005
【図４】
2004153731.tif 000006
【図５】
2004153731.tif 000007
【図６】
2004153731.tif 000008
【図７】
2004153731.tif 000009
【図８】
2004153731.tif 000010
【図９】
2004153731.tif 000011